(57)【要約】配光特性を改善し、スポット光としてめりはりをつけることができる反射鏡付き管球を提供する。ビーム角２５°〜４５°の反射鏡付き管球１であって、反射鏡（２）の内面に素地の形状が略回転楕円面の反射面（６）を形成。略回転楕円面の長軸方向の頂点をＡ，Ｂ、その焦点をＦ１，Ｆ２とした場合、長軸上に位置し、頂点Ａから線分Ｆ１Ａの０．７５倍〜１．６５倍の距離を離れた任意の点をＣ、点Ｃを含み長軸に対して垂直に交わる平面をＰとすると、反射面（６）のうち平面Ｐを境に頂点Ａ側の面全体にファセット（９）を形成、反射面（６）のうちの残部が単一な鏡面になる。ファセット（９）における反射鏡（２）の一端部側から他端部側へ向かう方向をｘ軸、回転楕円面に垂直に交わる方向をｙ軸、ｘ軸およびｙ軸に垂直に交わる方向をｚ軸とした場合、ファセット（９）は、ｘ軸方向に第一の曲率Ｒ１を有して湾曲し、かつｚ軸方向に第二の曲率Ｒ２を有して湾曲する。【特許請求の範囲】
【請求項１】
凹面状の反射鏡とこの反射鏡内に配置された電球とを備えたビーム角２５°〜４５°の反射鏡付き管球であって、
前記反射鏡は、一端部に光を照射する開口部と他端部に前記電球が固着される電球保持部とを有しているとともに、その内面に素地の形状が略回転楕円面である反射面が形成されており、
前記略回転楕円面の長軸方向の頂点をＡ，Ｂ、その焦点をＦ１，Ｆ２とした場合（ただし、前記焦点Ｆ１は前記反射鏡内に位置し、線分Ｆ１Ａ＜線分Ｆ１Ｂなる関係式を満たす）、前記長軸上に位置し、かつ前記頂点Ａから前記線分Ｆ１Ａの０．７５倍〜１．６５倍の距離を離れた任意の点をＣとし、前記点Ｃを含むとともに前記長軸に対して垂直に交わる平面をＰとすると、前記反射面のうち、前記平面Ｐを境にして前記頂点Ａ側の面略全体にファセットが形成され、前記平面Ｐを境にして前記開口部側の面が単一な鏡面または粗面になっており、前記ファセットにおける前記反射鏡の一端部側から他端部側へ向かう方向をｘ軸、前記回転楕円面に対して垂直に交わる方向をｙ軸、前記ｘ軸および前記ｙ軸に対して垂直に交わる方向をｚ軸とした場合、前記ファセットは、前記ｘ軸方向に第一の曲率を有して湾曲し、かつ前記ｚ軸方向に第二の曲率を有して湾曲していることを特徴とする反射鏡付き管球。
【発明の詳細な説明】
【技術分野】
【０００１】  本発明は反射鏡付き管球に関する。
【背景技術】
【０００２】  管球、例えば反射鏡付きハロゲン電球は、凹面状の反射鏡内にハロゲン電球が組み込まれた構成を有し、例えば店舗等のスポットライト用として使用されている。
反射鏡の内面には、略回転楕円面からなる反射面が形成されている。また、この反射面全体には、ハロゲン電球から放射され、かつ反射面によって反射される反射光を拡散させ、つまり反射光を制御して所望の配光特性が得られるように多数の小さな面（以下、「ファセット」という）が形成されている（例えば特許文献１等参照）。【０００３】  ファセットの形状としては、四角形状、三角形状、円形形状、ひし形形状等の形状があり、またそれらが平坦面状または凹凸面状になっている。
特に、照射面のエッジ部近傍の照度むらを防止し、かつ照射面のエッジ部を鮮明にするために、反射面のうち、反射鏡の開口部近傍を単一曲面とし、その残部に回転体からなる反射面の回転軸方向を中心軸方向として湾曲する湾曲面からなるファセットを形成することが提案されている（例えば特許文献２等参照）。
【特許文献１】特開平５−２１０４３号公報
【特許文献２】特開平５−６２６５１号公報
【発明の開示】
【発明が解決しようとする課題】
【０００４】  ところで、この種の反射鏡付きハロゲン電球には、ビーム角がそれぞれ２５°以上の広角タイプ、１３°以上２５°未満の中角タイプ、６°以上１３°未満の狭角タイプがあり、各々用途に合わせて使い分けられている。
上記した特許文献２に記載されている従来の反射鏡付きハロゲン電球を特に広角タイプのものとして使用した場合では、照射面においてその中心での光度が高く、芯がでてしまう一方で、照射面にはっきりとした輪郭が無く、ぼやっとしており（つまり、照射面のエッジが鮮明でない）、その結果、スポット光に求められるめりはりに欠けてしまうという問題があった。なお、照射面の輪郭がぼやけてしまうと、例えば店舗内の商品等の陳列物と、その周りとの明暗差が少なくなり、陳列物を際立てる効果が薄れてしまう。【０００５】  本発明は、このような問題を解決するためになされたものであり、配光特性を改善し、スポット光としてめりはりをつけることができる反射鏡付き管球を提供することを目的とする。
【課題を解決するための手段】
【０００６】  本発明は、凹面状の反射鏡とこの反射鏡内に配置された電球とを備えたビーム角２５°〜４５°の反射鏡付き管球であって、前記反射鏡は一端部に光を照射する開口部と他端部に前記電球が固着される電球保持部とを有しているとともに、その内面に素地の形状が略回転楕円面である反射面が形成されており、前記略回転楕円面の長軸方向の頂点をＡ，Ｂ、その焦点をＦ１，Ｆ２とした場合（ただし、前記焦点Ｆ１は前記反射鏡内に位置し、線分Ｆ１Ａ＜線分Ｆ１Ｂなる関係式を満たす）、前記長軸上に位置し、かつ前記頂点Ａから前記線分Ｆ１Ａの０．７５倍〜１．６５倍の距離を離れた任意の点をＣとし、前記点Ｃを含むとともに前記長軸に対して垂直に交わる平面をＰとすると、前記反射面のうち、前記平面Ｐを境にして前記頂点Ａ側の面全体にファセットが形成され、前記反射面のうちの残部が単一な鏡面または粗面になっており、前記ファセットにおける前記反射鏡の一端部側から他端部側へ向かう方向をｘ軸、前記回転楕円面に対して垂直に交わる方向ｙ軸、前記ｘ軸および前記ｙ軸に対して垂直に交わる方向をｚ軸とした場合、前記ファセットは、前記ｘ軸方向に第一の曲率を有して湾曲し、かつ前記ｚ軸方向に第二の曲率を有して湾曲している構成を有している。
【発明の効果】
【０００７】  本発明は、配光特性を改善し、スポット光としてめりはりをつけることができる反射鏡付き管球を提供することができるものである。
【図面の簡単な説明】
【０００８】
【図１】本発明の実施の形態である反射鏡付きハロゲン電球の一部切欠正面図
【図２】同じく反射鏡付きハロゲン電球に用いられている反射鏡の正面断面図
【図３】同じく反射鏡付きハロゲン電球に用いられている反射鏡の部分斜視図
【図４】配光曲線を示す図
【符号の説明】
【０００９】  １  反射鏡付きハロゲン電球
２  反射鏡
３  ハロゲン電球
４  開口部
５  電球保持部
６  反射面
７  前面ガラス
８  接着剤
９  ファセット
１０  鏡面
１１  チップオフ部
１２  発光部
１３  封止部
１４  ガラスバルブ
１５  フィラメント
１６  内部リード線
１７  金属箔
１８  外部リード線
１９  フィラメント構造体
２０  端子
【発明を実施するための最良の形態】
【００１０】  以下、本発明の最良な実施の形態について、図面を用いて説明する。
１．全体構成
図１に示すように、本発明の実施の形態である定格電力５０Ｗ（定格電圧１２Ｖ）の反射鏡付きハロゲン電球１は、ビーム角が２５°〜４５°の広角タイプであり、ミラー径φが５０ｍｍの凹面状の反射鏡２と、この反射鏡２の内部に配置されたハロゲン電球３とを備えている。なお、定格電力５０Ｗの広角タイプ用としての反射鏡２は、例えばミラー径φが５０ｍｍで、反射鏡深さが２２ｍｍである。【００１１】  ２．反射鏡構成
反射鏡２は、例えば硬質ガラスまたは石英ガラス等からなり、一端部に光を照射する開口部４を、他端部にハロゲン電球３が固着されている電球保持部５をそれぞれ有し、内面のうち、開口部４から電球保持部５に向かうに従って開口径が徐々に小さくなるように凹入している部分に反射面６が形成されている。なお、電球保持部５の横断面形状は四角形状（略長方形状）の筒状をし、その内部に、ハロゲン電球３の後述の封止部１３が嵌合するように、横断面形状が長方形状の貫通孔が形成されている。【００１２】  開口部４には、前面ガラス７が設けられ、公知の止め具（図示せず）または公知の接着剤（図示せず）によって、あるいはそれらの併用によって固定されている。ただし、前面ガラス７は必ずしも必要ではない。
電球保持部５には、ハロゲン電球３の封止部１３が挿入され、かつ公知の接着剤８によって固着されている。【００１３】  反射面６は、図２に示すように、素地の形状が略回転楕円面Ｓであって、略回転楕円面Ｓの長軸方向（図２中、軸Ｏの方向）の頂点をＡ，Ｂ（図２中、頂点Ａのみ図示）、その焦点をＦ１，Ｆ２（図２中、焦点Ｆ１のみ図示）とした場合（ただし、焦点Ｆ１は反射鏡２内に位置し、線分Ｆ１Ａ＜線分Ｆ１Ｂなる関係式を満たす）、長軸Ｏ上に位置し、かつ頂点Ａから線分Ｆ１Ａの０．７５倍〜１．６５倍の距離を離れた任意の点をＣとし、点Ｃを含むとともに長軸Ｏに対して垂直に交わる平面をＰとすると、この平面Ｐを境にして頂点Ａ側（電球保持部側）の面（この面を、以下、「反射保持側面」という。）全体に凸状のファセット９が形成され、反射面６における反射保持側面を除く残部（平面Ｐを境にして開口部４側の面であって、この面を、以下、「反射開口側面」という。）全体に単一な鏡面１０が形成されている。【００１４】  もっとも、「面全体」といえども、ファセット９の形状によっては互いに隣り合うファセット９の間の隙間が単一な鏡面または粗面になっている場合もあり得る。また、この反射面６には、アルミニウムやクロム等の金属膜の他、二酸化ケイ素（ＳｉＯ２）、二酸化チタン（ＴｉＯ２）、フッ化マグネシウム（ＭｇＦ）、硫化亜鉛（ＺｎＳ）等からなる多層干渉膜が形成されている。【００１５】  なお、ここで言う「略回転楕円面Ｓ」とは、完全な回転楕円面の場合はもちろんのこと、反射鏡２の製造工程における製造ばらつきによってその反射面６の形状が完全な回転楕円面からずれてしまう場合も含むことを意味している。
図３に示すように、ファセット９は、その輪郭形状が略ひし形形状を有しているとともに、ファセット９における反射鏡２の一端部側から他端部側へ向かう方向をｘ軸、回転楕円面Ｓに対して垂直に交わる方向をｙ軸、ｘ軸およびｙ軸に対して垂直に交わる方向をｚ軸とした場合、ｘ軸方向に第一の曲率Ｒ１を有して湾曲し、かつｚ軸方向に第二の曲率Ｒ２を有して湾曲している。なお、ファセット９のうち、開口部４に最も近い位置にあるファセット９は、その開口部４側の形状が半楕円形状をしているが、基本的には、上記第一の曲率及び第二の曲率を有して湾曲している。【００１６】  また、このファセット９は、反射面６における上記した領域（反射保持側面である）において、反射鏡２の光軸方向（ここでは、長軸Ｏと同じ方向）およびその周方向にそれぞれ連続的に並べられるようにして形成されている。例えば点Ｃの位置が頂点Ａから線分線分Ｆ１Ａの１．３０倍の距離を離れた位置にある場合、このファセット９は、反射鏡２の光軸方向に９段並んでおり、各段ごとに周方向に３０個並んでいる。【００１７】  なお、ファセット９を並べる段数及び周方向に並べる個数は特に限定されるものではない。ただし、同じ段に並んでいるもの同士のファセット９の大きさは同じであるが、電球保持部５側へいくほど相似的に小さくなっていく。
第一の曲率Ｒ１は、十分な光の拡散性を得るために、４０ｍｍ以下（ただし、０ｍｍは除く）に設定されていることが好ましい。一方、第一の曲率Ｒ１が４０ｍｍを超える場合、光の拡散性がほとんど得られなくなるおそれがある。特に、第一の曲率Ｒ１は、１０ｍｍを越える方が好ましい。これは、第一の曲率Ｒ１が、１０ｍｍ以下になると、反射鏡２に対する光源位置（フィラメントの長手方向に中心点）のずれによる配光パターンのバラツキが大きくなるためである。【００１８】  第二の曲率Ｒ２は、同じく十分な光の拡散性を得るために、１０ｍｍ以下（ただし、０ｍｍは除く）に設定されていることが好ましい。一方、第二の曲率Ｒ２が１０ｍｍを超える場合、光の拡散性がほとんど得られなくなるおそれがある。なお、第一の曲率Ｒ１および第二の曲率Ｒ２のいずれも１ｍｍ未満にすることは製造上難しく、実用的にはいずれも１ｍｍ以上に設定することが好ましい。【００１９】  ３．電球構成
ハロゲン電球３は、図１に示すように、封止切りの残痕であるチップオフ部１１、略円筒状の発光部１２、および公知のピンチシール法によって形成された封止部１３がそれぞれ順次連なって形成された石英ガラスや硬質ガラス等からなるガラスバルブ１４と、フィラメント１５、内部リード線１６、金属箔１７および外部リード線１８がそれぞれ順次接続されたフィラメント構造体１９とを有している。【００２０】  ガラスバルブ１４の外面には、必要に応じて可視光透過赤外線反射膜が形成されていてもよい。
発光部１２内には、フィラメント１５が位置しており、ハロゲン物質と希ガスとがそれぞれ所定量封入され、封止部３内には、内部リード線１６、金属箔１７および外部リード線１８が封止されている。【００２１】  フィラメント１５は、タングステン製の一重巻きコイル、二重巻きコイルまたは三重巻きコイル等からなり、その長手方向の中心軸（所謂、コイル軸である。）が反射鏡２の光軸上に略位置しており、かつフィラメント１５の長手方向の中心点が反射鏡２の焦点Ｆ１近傍になるように、ハロゲン電球３が反射鏡２内に配置されている（図１及び図２参照）。【００２２】  また、フィラメント１５の両端部には、タングステン製の内部リード線１６の一端部がそれぞれ電気的に、かつ機械的に接続されており、このフィラメント１５を支持している。内部リード線１６の他端部は、それぞれ封止部１３へ向かって、そして封止部１３の内部をハロゲン電球３の中心軸に沿って延び、封止部１３内においてモリブデン製の金属箔１７を介して外部リード線１８の一端部に電気的に接続されている。外部リード線１８の他端部は、ガラスバルブ１４の外部に導出しており、照明器具（図示せず）の受け金に取り付けられるピン状の端子２０に接続されている。【００２３】  ４．作用効果
以上のとおり本発明の実施の形態である定格電力５０Ｗの反射鏡付きハロゲン電球１にかかる構成によれば、長軸Ｏ上に位置し、かつ頂点Ａから線分Ｆ１Ａの０．７５倍〜１．６５倍の距離を離れた任意の点をＣとし、点Ｃを含むとともに長軸Ｏに対して垂直に交わる平面をＰとし、反射面６のうち反射保持側面全体にファセット９が形成され、かつそのファセット９を、ｘ軸方向およびｚ軸方向にそれぞれ第一の曲率Ｒ１および第二の曲率Ｒ２を持たせて湾曲させている。【００２４】  これにより、照射面の中心付近に照射される光を周辺部分へ向かって十分に拡散させることができるようになり、照射面の中心光度が照射面において芯がでてしまうほど高くなるのを抑制することができ、しかも所望の広角ビームを実現することができる。
一方、反射面６のうち反射開口側面が単一な鏡面となっているために、照射面における周辺部分へ照射される光が拡散せず、広がりを持たないようにすることができる。これにより、照射面の輪郭をはっきりとさせることができるようになり、その結果、例えばスポット光に求められるめりはりをつけることができる。なお、ここでは、反射面６のうち反射開口側面が単一な鏡面であったが、例えば粗面になっていても、同様の効果が得られる（後述の「６．その他」の欄で説明）。【００２５】  ５．確認実験
本実施の形態にかかる定格電力５０Ｗの反射鏡付きハロゲン電球１の作用効果を確認するための実験について説明する。
（１）実験内容
上記した定格電力５０Ｗの反射鏡付きハロゲン電球１において、点Ｃの位置を、頂点Ａから線分Ｆ１Ａの０．７５倍の距離を離れた位置（実施例１）、同じく１．３０倍の距離を離れた位置（実施例２）、同じく１．６５倍の距離を離れた位置（実施例３）、同じく０．７０倍の距離を離れた位置（比較例１）、同じく１．７０倍の距離を離れた位置（比較例２）とし、各々の位置を基準とする反射面６の反射保持側面に略ひし形形状のファセット９を形成し、反射面６の反射開口側面を単一な鏡面としたものをそれぞれ作製した。【００２６】  なお、ここでの実施例１〜３及び比較例１，２は、同じ構成のハロゲン電球を用い、また、各反射鏡は、同じ略回転楕円面の反射面を有し、この反射面におけるファセットの形成領域だけが異なる。
そして、各々の作製したものを定格電力で点灯させ、配光曲線について調べたところ、図４に示すとおりの結果が得られた。【００２７】  また、比較例３として、ｘ軸方向に湾曲させていない、つまり第二の曲率Ｒ２のみ有する点を除いて実施例２と同じ構成を有しているものを作製し、作製したものを同様にして配光曲線について調べたところ、同じく図４に示すとおりの結果が得られた。さらに、比較例４として、ｚ軸方向に湾曲させていない、つまり第一の曲率Ｒ１のみ有する点を除いて実施例２と同じ構成を有しているものを作製した。【００２８】  なお、ここでの比較例３，４も、上記の実施例１〜３と同様のハロゲン電球を用い、また、各比較例３，４の反射鏡も、上記実施例２と同じ略回転楕円面の反射面を有し、この反射面に形成されたファセットの曲率の有無だけが異なる。
そして、作製したものを同様にして配光曲線について調べたところ、同じく図４に示すとおりの結果が得られた。【００２９】  図４中、実施例１の配光曲線を実線ａで、実施例２の配光曲線を実線ｂで、実施例３の配光曲線を実線ｃで、比較例１の配光曲線を実線ｄで、比較例２の配光曲線を実線ｅで、比較例３の配光曲線を実線ｆで、比較例４の配光曲線を実線ｇでそれぞれ示している。
なお、各実施例および各比較例において、ファセット９の第一の曲率Ｒ１は２．５ｍｍ、第二の曲率Ｒ２は３．５ｍｍとした。【００３０】  （２）実験結果
（２−１）ビーム角
図４から明らかなように、実施例１のビーム角が２６°、実施例２のビーム角が３６°、そして実施例３のビーム角が２８°であり、いずれの場合も、所望のビーム角（２５°〜４５°）が得られている。【００３１】  一方、比較例１のビーム角が２４°、比較例２のビーム角が２４°、比較例３のビーム角が３６°、そして比較例４のビーム角は１８°であり、比較例３を除く、比較例１、２、４の場合、所望のビーム角（２５°〜４５°）が得られなかった。
（２−２）照射面の芯
実施例１、実施例２、実施例３いずれの場合も、図４から明らかなように、中心光度付近が平坦状となっており、また、照射面において芯がでていなかった。【００３２】  一方、比較例１、比較例２、比較例３及び比較例４では、図４から明らかなように、中心光度付近が平坦状でなく尖形状または階段形状となっており、また、照射面において芯がでていた。
（２−３）照射面の輪郭
次に、実施例１と比較例１とを目視により比較すると、実施例１の方が比較例１よりも照射面の輪郭がはっきりとしている。照射面の輪郭は、配光曲線において、中心光度の半分の光度の位置における傾きが大きいほどはっきりし、図４においても、実施例１の傾きの方が比較例１の傾きよりも大きい。【００３３】  一方、実施例３と比較例２とを目視により比較すると、実施例３の方が比較例２よも照射面の輪郭が若干はっきりし、図４においても、中心光度の半分の光度の位置における傾きが実施例３の方が比較例２より若干大きい。
（２−４）ファセットの曲率について
実施例２では中心光度付近が平坦状となっている。これに対して、比較例３及び比較例４では中心光度付近が階段形状、尖形状となっており、特に、第一の曲率だけの比較例４では、その尖形が鋭くなっている。このことから、ファセットを、第一及び第二の曲率を有する曲面とすることで、照射面において芯ができるのを防ぐことができる。【００３４】  また、本実験では、ファセットの第一の曲率及び第二の曲率の有無について行ったが、ファセットが、第一の曲率と第二の曲率とを有する曲面であれば、照射面に芯が出るのを防ぐことができ、第一の曲率と第二の曲率がそれぞれ異なる場合、或いは、第一の曲率と第二の曲率とが同じである場合であっても、略同様の効果が得られる。
（２−５）結果まとめ
以上の結果をまとめると、点Ｃの位置を頂点Ａから線分Ｆ１Ａの０．７５倍〜１．６５倍の距離を離れた任意の位置とし、反射面６のうち反射保持側面全体にファセット９を形成し、かつ反射面６のうち反射開口側面を単一な鏡面にするとともに、ファセット９を、ｘ軸方向に第一の曲率Ｒ１を持たせて湾曲させ、かつｚ軸方向に第二の曲率Ｒ２を持たせて湾曲させることにより、照射面の中心光度が照射面において芯がでてしまうほど高くなるのを抑制することができ、しかも所望の広角ビームを実現することができる一方で、照射面の輪郭をはっきりとさせることができる。そして全体として、例えばスポット光に求められるめりはりをつけることができると確認された。
６．その他
（１）反射面におけるファセット以外の面
上記実施の形態では、反射面６のうち、ファセット９が形成されていない部分、つまり反射開口側面を単一な鏡面１０とした場合について説明したが、単一な鏡面の代わりにその部分を粗面にした場合でも上記と同様の作用効果を得ることができる。【００３５】  もっとも、上記したように反射面６の反射開口側面を単一な鏡面または粗面にする必要は必ずしも無く、その部分に第一の曲率Ｒ１が６０ｍｍ以上、第二の曲率Ｒ２が２０ｍｍ以上のファセットを形成した場合であっても単一な鏡面または粗面にした場合と同様に非拡散性が得られることがわかった。
したがって、反射面６の反射開口側面において単一な鏡面または粗面に代えて第一の曲率Ｒ１が６０ｍｍ以上、第二の曲率Ｒ２が２０ｍｍ以上のファセットを形成した場合であっても上記と同様の作用効果を得ることができる。その際、ファセットの形状としては公知の種々の形状のものを適用することができる。【００３６】  （２）ファセットの形状
上記実施の形態では、ファセット９の輪郭形状として略ひし形形状を用いた場合について説明したが、この形状に限らず例えば略四角形状、略三角形状、略円形形状等を用いた場合でも上記と同様の作用効果を得ることができる。
また、上記実施の形態では、凸状のファセット９を用いた場合について説明したが、これ以外に凹状のファセットを用いた場合でも上記と同様の作用効果を得ることができる。凹状のファセットを用いた場合でも、その輪郭形状や第一の曲率Ｒ１および第二の曲率Ｒ２等について、凸状のファセット９と同じものを適用することができる。【００３７】  （３）ファセットの曲率
上記実施の形態では、ファセット９におけるｘ軸方向の第一の曲率Ｒ１を２５ｍｍ、ｚ軸方向の第二の曲率Ｒ２を３．５ｍｍとした場合について説明したが、例えば第一の曲率Ｒ１を例えば１ｍｍ〜４０ｍｍの範囲に、ｚ軸方向の第二の曲率Ｒ２を例えば１ｍｍ〜１０ｍｍの範囲にした場合でも上記と同様の作用効果を得ることができる。【００３８】  第一の曲率Ｒ１の大きさと第二の曲率Ｒ２の大きさについては、どちらが大きくてもよく、また同じであってもよい。また、一つのファセット９の中において、第一の曲率Ｒ１および第二の曲率Ｒ２が上記のそれぞれの範囲内であれば、第一の曲率Ｒ１および第二の曲率Ｒ２が各軸方向に対して必ずしも一定の曲率である必要は無く、その曲率が各軸方向に対して変化していてもよい。さらに、個々のファセット９間で第一の曲率Ｒ１および第二の曲率Ｒ２が必ずしも全て同じである必要は無く、個々のファセット９間で第一の曲率Ｒ１および第二の曲率Ｒ２がそれぞれ異なっていてもよい。【００３９】  なお、第一の曲率Ｒ１および第二の曲率Ｒ２のいずれも１ｍｍ未満にすることは製造上難しく、実用的にはいずれも１ｍｍ以上に設定することが好ましい。
（４）ハロゲン電球
上記実施の形態では、定格電力５０Ｗのハロゲン電球３を用いた場合について説明したが、これに限らず、例えば定格電力２０Ｗ〜１００Ｗのハロゲン電球を用いた場合でも上記と同様の作用効果を得ることができる。【００４０】  また、上記実施の形態では、ハロゲン電球３におけるガラスバルブ１４の形状としてチップオフ部１１、略円筒状の発光部１２および封止部１３がそれぞれ順次連なって形成されたものを用いた場合について説明したが、これに限らず発光部１２と封止部１３との間に縮経部、または縮経部および筒部が介在しているもの、すなわちチップオフ部１１（場合によっては無いものもある）、略円筒状の発光部１２、縮径部（または縮径部および筒部）および封止部がそれぞれ順次連なって形成されたものや、チップオフ部（場合によっては無いものもある）、略球状または略回転楕円体状の発光部、縮経部、略円筒状の筒部および封止部がそれぞれ順次連なって形成されたものや、縮経部や筒部が無く、すなわちチップオフ部（場合によっては無いものもある）、略球状または略回転楕円体状の発光部および封止部がそれぞれ順次連なって形成されたもの等の公知の種々の形状のガラスバルブを用いた場合でも上記と同様の作用効果を得ることができるものである。【００４１】  また、上記実施の形態では、ハロゲン電球３を用いた場合について説明したが、ハロゲン電球に代えて公知の種々の白熱電球を用いた場合でも上記と同様の作用効果を得ることができるものである。
【産業上の利用可能性】
【００４２】  本発明は、配光特性を改善し、スポット光としてめりはりをつけることが必要な用途にも適用することができる。
【図１】
2006049220.tif 000002
【図２】
2006049220.tif 000003
【図３】
2006049220.tif 000004
【図４】
2006049220.tif 000005
【手続補正書】
【提出日】平成19年4月10日(2007.4.10)
【手続補正１】
【補正対象書類名】特許請求の範囲
【補正対象項目名】全文
【補正方法】変更
【補正の内容】
【特許請求の範囲】
【請求項１】
凹面状の反射鏡とこの反射鏡内に配置された電球とを備えたビーム角２５°〜４５°の反射鏡付き管球であって、
前記反射鏡は、一端部に光を照射する開口部と他端部に前記電球が固着される電球保持部とを有しているとともに、その内面に素地の形状が略回転楕円面である反射面が形成されており、
前記略回転楕円面の長軸方向の頂点をＡ，Ｂ、その焦点をＦ1，Ｆ2とした場合（ただし、前記焦点Ｆ1は前記反射鏡内に位置し、線分Ｆ1Ａ＜線分Ｆ1Ｂなる関係式を満たす）、前記長軸上に位置し、かつ前記頂点Ａから前記線分Ｆ1Ａの０．７５倍〜１．６５倍の距離を離れた任意の点をＣとし、前記点Ｃを含むとともに前記長軸に対して垂直に交わる平面をＰとすると、前記反射面のうち、前記平面Ｐを境にして前記頂点Ａ側の面略全体にファセットが形成され、前記平面Ｐを境にして前記開口部側の面が単一な鏡面または粗面になっており、前記ファセットにおける前記反射鏡の一端部側から他端部側へ向かう方向をｘ軸、前記回転楕円面に対して垂直に交わる方向をｙ軸、前記ｘ軸および前記ｙ軸に対して垂直に交わる方向をｚ軸とした場合、前記ファセットは、前記ｘ軸方向に第一の曲率を有して湾曲し、かつ前記ｚ軸方向に第二の曲率を有して湾曲していることを特徴とする反射鏡付き管球。
【手続補正２】
【補正対象書類名】明細書
【補正対象項目名】全文
【補正方法】変更
【補正の内容】
【発明の詳細な説明】
【技術分野】
【０００１】
本発明は反射鏡付き管球に関する。
【背景技術】
【０００２】
管球、例えば反射鏡付きハロゲン電球は、凹面状の反射鏡内にハロゲン電球が組み込まれた構成を有し、例えば店舗等のスポットライト用として使用されている。
反射鏡の内面には、略回転楕円面からなる反射面が形成されている。また、この反射面全体には、ハロゲン電球から放射され、かつ反射面によって反射される反射光を拡散させ、つまり反射光を制御して所望の配光特性が得られるように多数の小さな面（以下、「ファセット」という）が形成されている（例えば特許文献１等参照）。
【０００３】
ファセットの形状としては、四角形状、三角形状、円形形状、ひし形形状等の形状があり、またそれらが平坦面状または凹凸面状になっている。
特に、照射面のエッジ部近傍の照度むらを防止し、かつ照射面のエッジ部を鮮明にするために、反射面のうち、反射鏡の開口部近傍を単一曲面とし、その残部に回転体からなる反射面の回転軸方向を中心軸方向として湾曲する湾曲面からなるファセットを形成することが提案されている（例えば特許文献２等参照）。
【特許文献１】特開平５−２１０４３号公報
【特許文献２】特開平５−６２６５１号公報
【発明の開示】
【発明が解決しようとする課題】
【０００４】
ところで、この種の反射鏡付きハロゲン電球には、ビーム角がそれぞれ２５°以上の広角タイプ、１３°以上２５°未満の中角タイプ、６°以上１３°未満の狭角タイプがあり、各々用途に合わせて使い分けられている。
上記した特許文献２に記載されている従来の反射鏡付きハロゲン電球を特に広角タイプのものとして使用した場合では、照射面においてその中心での光度が高く、芯がでてしまう一方で、照射面にはっきりとした輪郭が無く、ぼやっとしており（つまり、照射面のエッジが鮮明でない）、その結果、スポット光に求められるめりはりに欠けてしまうという問題があった。なお、照射面の輪郭がぼやけてしまうと、例えば店舗内の商品等の陳列物と、その周りとの明暗差が少なくなり、陳列物を際立てる効果が薄れてしまう。
【０００５】
本発明は、このような問題を解決するためになされたものであり、配光特性を改善し、スポット光としてめりはりをつけることができる反射鏡付き管球を提供することを目的とする。
【課題を解決するための手段】
【０００６】
本発明は、凹面状の反射鏡とこの反射鏡内に配置された電球とを備えたビーム角２５°〜４５°の反射鏡付き管球であって、前記反射鏡は一端部に光を照射する開口部と他端部に前記電球が固着される電球保持部とを有しているとともに、その内面に素地の形状が略回転楕円面である反射面が形成されており、前記略回転楕円面の長軸方向の頂点をＡ，Ｂ、その焦点をＦ1，Ｆ2とした場合（ただし、前記焦点Ｆ1は前記反射鏡内に位置し、線分Ｆ1Ａ＜線分Ｆ1Ｂなる関係式を満たす）、前記長軸上に位置し、かつ前記頂点Ａから前記線分Ｆ1Ａの０．７５倍〜１．６５倍の距離を離れた任意の点をＣとし、前記点Ｃを含むとともに前記長軸に対して垂直に交わる平面をＰとすると、前記反射面のうち、前記平面Ｐを境にして前記頂点Ａ側の面全体にファセットが形成され、前記反射面のうちの残部が単一な鏡面または粗面になっており、前記ファセットにおける前記反射鏡の一端部側から他端部側へ向かう方向をｘ軸、前記回転楕円面に対して垂直に交わる方向をｙ軸、前記ｘ軸および前記ｙ軸に対して垂直に交わる方向をｚ軸とした場合、前記ファセットは、前記ｘ軸方向に第一の曲率を有して湾曲し、かつ前記ｚ軸方向に第二の曲率を有して湾曲している構成を有している。
【発明の効果】
【０００７】
本発明は、配光特性を改善し、スポット光としてめりはりをつけることができる反射鏡付き管球を提供することができるものである。
【発明を実施するための最良の形態】
【０００８】
以下、本発明の最良な実施の形態について、図面を用いて説明する。
１．全体構成
図１に示すように、本発明の実施の形態である定格電力５０Ｗ（定格電圧１２Ｖ）の反射鏡付きハロゲン電球１は、ビーム角が２５°〜４５°の広角タイプであり、ミラー径φが５０ｍｍの凹面状の反射鏡２と、この反射鏡２の内部に配置されたハロゲン電球３とを備えている。なお、定格電力５０Ｗの広角タイプ用としての反射鏡２は、例えばミラー径φが５０ｍｍで、反射鏡深さが２２ｍｍである。
【０００９】
２．反射鏡構成
反射鏡２は、例えば硬質ガラスまたは石英ガラス等からなり、一端部に光を照射する開口部４を、他端部にハロゲン電球３が固着されている電球保持部５をそれぞれ有し、内面のうち、開口部４から電球保持部５に向かうに従って開口径が徐々に小さくなるように凹入している部分に反射面６が形成されている。なお、電球保持部５の横断面形状は四角形状（略長方形状）の筒状をし、その内部に、ハロゲン電球３の後述の封止部１３が嵌合するように、横断面形状が長方形状の貫通孔が形成されている。
【００１０】
開口部４には、前面ガラス７が設けられ、公知の止め具（図示せず）または公知の接着剤（図示せず）によって、あるいはそれらの併用によって固定されている。ただし、前面ガラス７は必ずしも必要ではない。
電球保持部５には、ハロゲン電球３の封止部１３が挿入され、かつ公知の接着剤８によって固着されている。
【００１１】
反射面６は、図２に示すように、素地の形状が略回転楕円面Ｓであって、略回転楕円面Ｓの長軸方向（図２中、軸Ｏの方向）の頂点をＡ，Ｂ（図２中、頂点Ａのみ図示）、その焦点をＦ1，Ｆ2（図２中、焦点Ｆ1のみ図示）とした場合（ただし、焦点Ｆ1は反射鏡２内に位置し、線分Ｆ1Ａ＜線分Ｆ1Ｂなる関係式を満たす）、長軸Ｏ上に位置し、かつ頂点Ａから線分Ｆ1Ａの０．７５倍〜１．６５倍の距離を離れた任意の点をＣとし、点Ｃを含むとともに長軸Ｏに対して垂直に交わる平面をＰとすると、この平面Ｐを境にして頂点Ａ側（電球保持部側）の面（この面を、以下、「反射保持側面」という。）全体に凸状のファセット９が形成され、反射面６における反射保持側面を除く残部（平面Ｐを境にして開口部４側の面であって、この面を、以下、「反射開口側面」という。）全体に単一な鏡面１０が形成されている。
【００１２】
もっとも、「面全体」といえども、ファセット９の形状によっては互いに隣り合うファセット９の間の隙間が単一な鏡面または粗面になっている場合もあり得る。また、この反射面６には、アルミニウムやクロム等の金属膜の他、二酸化ケイ素（ＳｉＯ2）、二酸化チタン（ＴｉＯ2）、フッ化マグネシウム（ＭｇＦ）、硫化亜鉛（ＺｎＳ）等からなる多層干渉膜が形成されている。
【００１３】
なお、ここで言う「略回転楕円面Ｓ」とは、完全な回転楕円面の場合はもちろんのこと、反射鏡２の製造工程における製造ばらつきによってその反射面６の形状が完全な回転楕円面からずれてしまう場合も含むことを意味している。
図３に示すように、ファセット９は、その輪郭形状が略ひし形形状を有しているとともに、ファセット９における反射鏡２の一端部側から他端部側へ向かう方向をｘ軸、回転楕円面Ｓに対して垂直に交わる方向をｙ軸、ｘ軸およびｙ軸に対して垂直に交わる方向をｚ軸とした場合、ｘ軸方向に第一の曲率Ｒ1を有して湾曲し、かつｚ軸方向に第二の曲率Ｒ2を有して湾曲している。なお、ファセット９のうち、開口部４に最も近い位置にあるファセット９は、その開口部４側の形状が半楕円形状をしているが、基本的には、上記第一の曲率及び第二の曲率を有して湾曲している。
【００１４】
また、このファセット９は、反射面６における上記した領域（反射保持側面である）において、反射鏡２の光軸方向（ここでは、長軸Ｏと同じ方向）およびその周方向にそれぞれ連続的に並べられるようにして形成されている。例えば点Ｃの位置が頂点Ａから線分線分Ｆ1Ａの１．３０倍の距離を離れた位置にある場合、このファセット９は、反射鏡２の光軸方向に９段並んでおり、各段ごとに周方向に３０個並んでいる。
【００１５】
なお、ファセット９を並べる段数及び周方向に並べる個数は特に限定されるものではない。ただし、同じ段に並んでいるもの同士のファセット９の大きさは同じであるが、電球保持部５側へいくほど相似的に小さくなっていく。
第一の曲率Ｒ1は、十分な光の拡散性を得るために、４０ｍｍ以下（ただし、０ｍｍは除く）に設定されていることが好ましい。一方、第一の曲率Ｒ1が４０ｍｍを超える場合、光の拡散性がほとんど得られなくなるおそれがある。特に、第一の曲率Ｒ1は、１０ｍｍを越える方が好ましい。これは、第一の曲率Ｒ1が、１０ｍｍ以下になると、反射鏡２に対する光源位置(フィラメントの長手方向に中心点)のずれによる配光パターンのバラツキが大きくなるためである。
【００１６】
第二の曲率Ｒ2は、同じく十分な光の拡散性を得るために、１０ｍｍ以下（ただし、０ｍｍは除く）に設定されていることが好ましい。一方、第二の曲率Ｒ2が１０ｍｍを超える場合、光の拡散性がほとんど得られなくなるおそれがある。なお、第一の曲率Ｒ1および第二の曲率Ｒ2のいずれも１ｍｍ未満にすることは製造上難しく、実用的にはいずれも１ｍｍ以上に設定することが好ましい。
【００１７】
３．電球構成
ハロゲン電球３は、図１に示すように、封止切りの残痕であるチップオフ部１１、略円筒状の発光部１２、および公知のピンチシール法によって形成された封止部１３がそれぞれ順次連なって形成された石英ガラスや硬質ガラス等からなるガラスバルブ１４と、フィラメント１５、内部リード線１６、金属箔１７および外部リード線１８がそれぞれ順次接続されたフィラメント構造体１９とを有している。
【００１８】
ガラスバルブ１４の外面には、必要に応じて可視光透過赤外線反射膜が形成されていてもよい。
発光部１２内には、フィラメント１５が位置しており、ハロゲン物質と希ガスとがそれぞれ所定量封入され、封止部３内には、内部リード線１６、金属箔１７および外部リード線１８が封止されている。
【００１９】
フィラメント１５は、タングステン製の一重巻きコイル、二重巻きコイルまたは三重巻きコイル等からなり、その長手方向の中心軸（所謂、コイル軸である。）が反射鏡２の光軸上に略位置しており、かつフィラメント１５の長手方向の中心点が反射鏡２の焦点Ｆ1近傍になるように、ハロゲン電球３が反射鏡２内に配置されている（図１及び図２参照）。
【００２０】
また、フィラメント１５の両端部には、タングステン製の内部リード線１６の一端部がそれぞれ電気的に、かつ機械的に接続されており、このフィラメント１５を支持している。内部リード線１６の他端部は、それぞれ封止部１３へ向かって、そして封止部１３の内部をハロゲン電球３の中心軸に沿って延び、封止部１３内においてモリブデン製の金属箔１７を介して外部リード線１８の一端部に電気的に接続されている。外部リード線１８の他端部は、ガラスバルブ１４の外部に導出しており、照明器具（図示せず）の受け金に取り付けられるピン状の端子２０に接続されている。
【００２１】
４．作用効果
以上のとおり本発明の実施の形態である定格電力５０Ｗの反射鏡付きハロゲン電球１にかかる構成によれば、長軸Ｏ上に位置し、かつ頂点Ａから線分Ｆ1Ａの０．７５倍〜１．６５倍の距離を離れた任意の点をＣとし、点Ｃを含むとともに長軸Ｏに対して垂直に交わる平面をＰとし、反射面６のうち反射保持側面全体にファセット９が形成され、かつそのファセット９を、ｘ軸方向およびｚ軸方向にそれぞれ第一の曲率Ｒ1および第二の曲率Ｒ2を持たせて湾曲させている。
【００２２】
これにより、照射面の中心付近に照射される光を周辺部分へ向かって十分に拡散させることができるようになり、照射面の中心光度が照射面において芯がでてしまうほど高くなるのを抑制することができ、しかも所望の広角ビームを実現することができる。
一方、反射面６のうち反射開口側面が単一な鏡面となっているために、照射面における周辺部分へ照射される光が拡散せず、広がりを持たないようにすることができる。これにより、照射面の輪郭をはっきりとさせることができるようになり、その結果、例えばスポット光に求められるめりはりをつけることができる。なお、ここでは、反射面６のうち反射開口側面が単一な鏡面であったが、例えば粗面になっていても、同様の効果が得られる（後述の「６．その他」の欄で説明）。
【００２３】
５．確認実験
本実施の形態にかかる定格電力５０Ｗの反射鏡付きハロゲン電球１の作用効果を確認するための実験について説明する。
（１）実験内容
上記した定格電力５０Ｗの反射鏡付きハロゲン電球１において、点Ｃの位置を、頂点Ａから線分Ｆ1Ａの０．７５倍の距離を離れた位置（実施例１）、同じく１．３０倍の距離を離れた位置（実施例２）、同じく１．６５倍の距離を離れた位置（実施例３）、同じく０．７０倍の距離を離れた位置（比較例１）、同じく１．７０倍の距離を離れた位置（比較例２）とし、各々の位置を基準とする反射面６の反射保持側面に略ひし形形状のファセット９を形成し、反射面６の反射開口側面を単一な鏡面としたものをそれぞれ作製した。
【００２４】
なお、ここでの実施例１〜３及び比較例１，２は、同じ構成のハロゲン電球を用い、また、各反射鏡は、同じ略回転楕円面の反射面を有し、この反射面におけるファセットの形成領域だけが異なる。
そして、各々の作製したものを定格電力で点灯させ、配光曲線について調べたところ、図４に示すとおりの結果が得られた。
【００２５】
また、比較例３として、ｘ軸方向に湾曲させていない、つまり第二の曲率Ｒ2のみ有する点を除いて実施例２と同じ構成を有しているものを作製し、作製したものを同様にして配光曲線について調べたところ、同じく図４に示すとおりの結果が得られた。さらに、比較例４として、ｚ軸方向に湾曲させていない、つまり第一の曲率Ｒ1のみ有する点を除いて実施例２と同じ構成を有しているものを作製した。
【００２６】
なお、ここでの比較例３，４も、上記の実施例１〜３と同様のハロゲン電球を用い、また、各比較例３，４の反射鏡も、上記実施例２と同じ略回転楕円面の反射面を有し、この反射面に形成されたファセットの曲率の有無だけが異なる。
そして、作製したものを同様にして配光曲線について調べたところ、同じく図４に示すとおりの結果が得られた。
【００２７】
図４中、実施例１の配光曲線を実線ａで、実施例２の配光曲線を実線ｂで、実施例３の配光曲線を実線ｃで、比較例１の配光曲線を実線ｄで、比較例２の配光曲線を実線ｅで、比較例３の配光曲線を実線ｆで、比較例４の配光曲線を実線ｇでそれぞれ示している。
なお、各実施例および各比較例において、ファセット９の第一の曲率Ｒ1は２．５ｍｍ、第二の曲率Ｒ2は３．５ｍｍとした。
【００２８】
（２）実験結果
（２−１）ビーム角
図４から明らかなように、実施例１のビーム角が２６°、実施例２のビーム角が３６°、そして実施例３のビーム角が２８°であり、いずれの場合も、所望のビーム角（２５°〜４５°）が得られている。
【００２９】
一方、比較例１のビーム角が２４°、比較例２のビーム角が２４°、比較例３のビーム角が３６°、そして比較例４のビーム角は１８°であり、比較例３を除く、比較例１、２、４の場合、所望のビーム角（２５°〜４５°）が得られなかった。
（２−２）照射面の芯
実施例１、実施例２、実施例３いずれの場合も、図４から明らかなように、中心光度付近が平坦状となっており、また、照射面において芯がでていなかった。
【００３０】
一方、比較例１、比較例２、比較例３及び比較例４では、図４から明らかなように、中心光度付近が平坦状でなく尖形状または階段形状となっており、また、照射面において芯がでていた。
（２−３）照射面の輪郭
次に、実施例１と比較例１とを目視により比較すると、実施例１の方が比較例１よりも照射面の輪郭がはっきりとしている。照射面の輪郭は、配光曲線において、中心光度の半分の光度の位置における傾きが大きいほどはっきりし、図４においても、実施例１の傾きの方が比較例１の傾きよりも大きい。
【００３１】
一方、実施例３と比較例２とを目視により比較すると、実施例３の方が比較例２よも照射面の輪郭が若干はっきりし、図４においても、中心光度の半分の光度の位置における傾きが実施例３の方が比較例２より若干大きい。
（２−４）ファセットの曲率について
実施例２では中心光度付近が平坦状となっている。これに対して、比較例３及び比較例４では中心光度付近が階段形状、尖形状となっており、特に、第一の曲率だけの比較例４では、その尖形が鋭くなっている。このことから、ファセットを、第一及び第二の曲率を有する曲面とすることで、照射面において芯ができるのを防ぐことができる。
【００３２】
また、本実験では、ファセットの第一の曲率及び第二の曲率の有無について行ったが、ファセットが、第一の曲率と第二の曲率とを有する曲面であれば、照射面に芯が出るのを防ぐことができ、第一の曲率と第二の曲率がそれぞれ異なる場合、或いは、第一の曲率と第二の曲率とが同じである場合であっても、略同様の効果が得られる。
（２−５）結果まとめ
以上の結果をまとめると、点Ｃの位置を頂点Ａから線分Ｆ1Ａの０．７５倍〜１．６５倍の距離を離れた任意の位置とし、反射面６のうち反射保持側面全体にファセット９を形成し、かつ反射面６のうち反射開口側面を単一な鏡面にするとともに、ファセット９を、ｘ軸方向に第一の曲率Ｒ1を持たせて湾曲させ、かつｚ軸方向に第二の曲率Ｒ2を持たせて湾曲させることにより、照射面の中心光度が照射面において芯がでてしまうほど高くなるのを抑制することができ、しかも所望の広角ビームを実現することができる一方で、照射面の輪郭をはっきりとさせることができる。そして全体として、例えばスポット光に求められるめりはりをつけることができると確認された。
６．その他  
（１）反射面におけるファセット以外の面
上記実施の形態では、反射面６のうち、ファセット９が形成されていない部分、つまり反射開口側面を単一な鏡面１０とした場合について説明したが、単一な鏡面の代わりにその部分を粗面にした場合でも上記と同様の作用効果を得ることができる。
【００３３】
もっとも、上記したように反射面６の反射開口側面を単一な鏡面または粗面にする必要は必ずしも無く、その部分に第一の曲率Ｒ1が６０ｍｍ以上、第二の曲率Ｒ2が２０ｍｍ以上のファセットを形成した場合であっても単一な鏡面または粗面にした場合と同様に非拡散性が得られることがわかった。
したがって、反射面６の反射開口側面において単一な鏡面または粗面に代えて第一の曲率Ｒ1が６０ｍｍ以上、第二の曲率Ｒ2が２０ｍｍ以上のファセットを形成した場合であっても上記と同様の作用効果を得ることができる。その際、ファセットの形状としては公知の種々の形状のものを適用することができる。
【００３４】
（２）ファセットの形状
上記実施の形態では、ファセット９の輪郭形状として略ひし形形状を用いた場合について説明したが、この形状に限らず例えば略四角形状、略三角形状、略円形形状等を用いた場合でも上記と同様の作用効果を得ることができる。
また、上記実施の形態では、凸状のファセット９を用いた場合について説明したが、これ以外に凹状のファセットを用いた場合でも上記と同様の作用効果を得ることができる。凹状のファセットを用いた場合でも、その輪郭形状や第一の曲率Ｒ1および第二の曲率Ｒ2等について、凸状のファセット９と同じものを適用することができる。
【００３５】
（３）ファセットの曲率
上記実施の形態では、ファセット９におけるｘ軸方向の第一の曲率Ｒ1を２５ｍｍ、ｚ軸方向の第二の曲率Ｒ2を３．５ｍｍとした場合について説明したが、例えば第一の曲率Ｒ1を例えば１ｍｍ〜４０ｍｍの範囲に、ｚ軸方向の第二の曲率Ｒ2を例えば１ｍｍ〜１０ｍｍの範囲にした場合でも上記と同様の作用効果を得ることができる。
【００３６】
第一の曲率Ｒ1の大きさと第二の曲率Ｒ2の大きさについては、どちらが大きくてもよく、また同じであってもよい。また、一つのファセット９の中において、第一の曲率Ｒ1および第二の曲率Ｒ2が上記のそれぞれの範囲内であれば、第一の曲率Ｒ1および第二の曲率Ｒ2が各軸方向に対して必ずしも一定の曲率である必要は無く、その曲率が各軸方向に対して変化していてもよい。さらに、個々のファセット９間で第一の曲率Ｒ1および第二の曲率Ｒ2が必ずしも全て同じである必要は無く、個々のファセット９間で第一の曲率Ｒ1および第二の曲率Ｒ2がそれぞれ異なっていてもよい。
【００３７】
なお、第一の曲率Ｒ1および第二の曲率Ｒ2のいずれも１ｍｍ未満にすることは製造上難しく、実用的にはいずれも１ｍｍ以上に設定することが好ましい。
（４）ハロゲン電球
上記実施の形態では、定格電力５０Ｗのハロゲン電球３を用いた場合について説明したが、これに限らず、例えば定格電力２０Ｗ〜１００Ｗのハロゲン電球を用いた場合でも上記と同様の作用効果を得ることができる。
【００３８】
また、上記実施の形態では、ハロゲン電球３におけるガラスバルブ１４の形状としてチップオフ部１１、略円筒状の発光部１２および封止部１３がそれぞれ順次連なって形成されたものを用いた場合について説明したが、これに限らず発光部１２と封止部１３との間に縮経部、または縮経部および筒部が介在しているもの、すなわちチップオフ部１１（場合によっては無いものもある）、略円筒状の発光部１２、縮径部（または縮径部および筒部）および封止部がそれぞれ順次連なって形成されたものや、チップオフ部（場合によっては無いものもある）、略球状または略回転楕円体状の発光部、縮経部、略円筒状の筒部および封止部がそれぞれ順次連なって形成されたものや、縮経部や筒部が無く、すなわちチップオフ部（場合によっては無いものもある）、略球状または略回転楕円体状の発光部および封止部がそれぞれ順次連なって形成されたもの等の公知の種々の形状のガラスバルブを用いた場合でも上記と同様の作用効果を得ることができるものである。
【００３９】
また、上記実施の形態では、ハロゲン電球３を用いた場合について説明したが、ハロゲン電球に代えて公知の種々の白熱電球を用いた場合でも上記と同様の作用効果を得ることができるものである。
【産業上の利用可能性】
【００４０】
本発明は、配光特性を改善し、スポット光としてめりはりをつけることが必要な用途にも適用することができる。
【図面の簡単な説明】
【００４１】
【図１】本発明の実施の形態である反射鏡付きハロゲン電球の一部切欠正面図
【図２】同じく反射鏡付きハロゲン電球に用いられている反射鏡の正面断面図
【図３】同じく反射鏡付きハロゲン電球に用いられている反射鏡の部分斜視図
【図４】配光曲線を示す図
【符号の説明】
【００４２】
１  反射鏡付きハロゲン電球
２  反射鏡
３  ハロゲン電球
４  開口部
５  電球保持部
６  反射面
７  前面ガラス
８  接着剤
９  ファセット
１０  鏡面
１１  チップオフ部
１２  発光部
１３  封止部
１４  ガラスバルブ
１５  フィラメント
１６  内部リード線
１７  金属箔
１８  外部リード線
１９  フィラメント構造体
２０  端子
【手続補正３】
【補正対象書類名】図面
【補正対象項目名】全図
【補正方法】変更
【補正の内容】
【図１】
2006049220.tif 000006
【図２】
2006049220.tif 000007
【図３】
2006049220.tif 000008
【図４】
2006049220.tif 000009
【国際調査報告】
2006049220.tif 000010
2006049220.tif 000011